(57)【特許請求の範囲】
【請求項１】
壁に据え付けられる室内機であって、
ファンを収容すると共に、前記ファンによって発生した空気流を吹き出すための吹出流路を有するケーシングと、
前記吹出流路の内周面に設けられた複数の板状リブとを備え、
前記複数の板状リブは、前記壁に据え付けられた状態において前記吹出流路の水平方向端部に配置され、
前記空気流の方向を変更可能な面を有する第１板状リブと、
前記第１板状リブに対して吹き出し方向に一直線上に離れて配置された部分を有する１又は複数の第２板状リブとを含んでいることを特徴とする室内機。
【請求項２】
前記複数の板状リブの中で最も前方に配置された板状リブは、前記ケーシングの吹出口の前端部から吹き出し方向上流側に離れて配置されることを特徴とする請求項１に記載の室内機。
【請求項３】
前記複数の板状リブにおいて前方に配置された板状リブの前記吹出流路の側壁に沿った面と直交する空気流衝突面の面積は、後方に配置された板状リブの前記吹出流路の側壁に沿った面と直交する空気流衝突面の面積より小さいことを特徴とする請求項１または２に記載の室内機。
【請求項４】
前記複数の板状リブは、平行となるように配置されていることを特徴とする請求項１〜３のいずれか１項に記載の室内機。
【請求項５】
前記吹出流路内に設けられ、前記壁に据え付けられた状態において水平方向の軸を中心に揺動可能な水平羽根を備え、
前記複数の板状リブは、前記水平羽根の全可動域の外側に配置されていることを特徴とする請求項１〜４のいずれか１項に記載の室内機。
【請求項６】
前記複数の板状リブは、冷房運転時の前記水平羽根の可動域の最も背面側の位置より前面側に配置されていることを特徴とする請求項５に記載の室内機。
【請求項７】
前記複数の板状リブは、前記壁に据え付けられた状態において冷房運転時の前記水平羽根の可動域より上方に配置されていることを特徴とする請求項６に記載の室内機。
【請求項８】
前記複数の板状リブの少なくとも１つは、他のリブと異なる形状に形成されていることを特徴とする請求項１〜７のいずれか１項に記載の室内機。
【発明の詳細な説明】
【技術分野】
【０００１】
本発明は、壁面に据え付けられる室内機に関するものである。
【背景技術】
【０００２】
空気調和機は、室内に設置される室内機と、室外に設置される室外機とを備えるものが一般的である。この室内機は、室内の壁面に据え付けられることが多く、ファンを収容するケーシングを有している（例えば特許文献１参照）。図１２に示すように、室内機８０のケーシングの前面８１には、ファンによって発生した空気流を吹き出すための吹出口８２が設けられている。また、この吹出口８２には、上下方向の風向きを変更するための水平羽根（図示省略）が揺動可能に設けられている。
【先行技術文献】
【特許文献】
【０００３】
【特許文献１】特開２０１０−０６０１７２号公報
【発明の概要】
【発明が解決しようとする課題】
【０００４】
この室内機では、冷房運転の際に、室内の湿気を含んだ空気が、吹出口８２から吹き出された冷風Ａ２によって巻き込まれる（図中の矢印Ｂ２参照）。この巻き込まれた空気が、室内機前面８１の吹出口８２の周辺部８１ａに接触すると、この部分８１ａに結露が生じることがある。この場合、結露による水滴が室内へ落下するという問題が生じる。
【０００５】
そこで、本発明の目的は、室内機前面において結露が発生するのを抑制できる室内機を提供することである。
【課題を解決するための手段】
【０００６】
上記課題を解決するために、第１の発明に係る室内機は、壁に据え付けられる室内機であって、ファンを収容すると共に、前記ファンによって発生した空気流を吹き出すための吹出流路を有するケーシングと、前記吹出流路の内周面に設けられた複数の板状リブとを備え、前記複数の板状リブは、前記壁に据え付けられた状態において前記吹出流路の水平方向端部に配置され、前記空気流の方向を変更可能な面を有する第１板状リブと、前記第１板状リブに対して吹き出し方向に一直線上に離れて配置された部分を有する１又は複数の第２板状リブとを含んでいることを特徴とする。
【０００７】
この室内機では、吹出流路の内周面に板状リブが配置されているため、吹出流路内の板状リブの下流側の位置から室内に吹き出される空気流は、板状リブを設けない場合に比べて低減する。そのため、冷房運転時に、この空気流による室内空気の巻き込みが抑制され、その結果、室内機の前面の吹出口(吹出流路の下流端)の周辺部のうち、板状リブに近い位置において、結露が生じるのを抑制することができる。
また、複数の板状リブを空気流の吹出方向に沿って配置することにより、板状リブを１つだけ配置した場合に比べて、ファンから送られる空気流の抵抗となる部分の吹出方向長さを長くすることが可能となり、それにより、室内空気の巻き込みが抑制されるため、結露をより確実に抑制することができる。
また、複数の板状リブの形状や離間距離などを変更するだけで、室内に吹き出される空気流の向きを調整することができるため、空気流の向きの調整を容易に行うことができる。
なお、本発明において「空気流の方向を変更可能な面」とは、ファンの軸方向に垂直な面以外の面のこととする。
【０００８】
【０００９】
この室内機では、室内機の前面のうち、吹出口の横で、且つ、板状リブに近い位置において、結露が発生するのを抑制することができる。
【００１０】
第２の発明に係る室内機は、第１の発明に係る室内機において、前記複数の板状リブの中で最も前方に配置された板状リブは、前記ケーシングの吹出口の前端部から吹き出し方向上流側に離れて配置される。
第３の発明に係る室内機は、前記複数の板状リブにおいて前方に配置された板状リブの前記吹出流路の側壁に沿った面と直交する空気流衝突面の面積は、後方に配置された板状リブの前記吹出流路の側壁に沿った面と直交する空気流衝突面の面積より小さい。
第４の発明に係る室内機は、第１〜３のいずれの発明に係る室内機において、第１または第２の発明に係る室内機において、前記複数の板状リブは、平行となるように配置されていることを特徴とする。
【００１１】
この室内機では、複数の板状リブを平行に配置しない場合に比べて、複数の板状リブを製造しやすい。
【００１２】
第５の発明に係る室内機は、第１〜４のいずれの発明に係る室内機において、前記吹出流路内に設けられ、前記壁に据え付けられた状態において水平方向の軸を中心に揺動可能な水平羽根を備え、前記複数の板状リブは、前記水平羽根の全可動域の外側に配置されていることを特徴とする。
【００１３】
この室内機では、複数の板状リブが、水平羽根の邪魔にならないようにできる。
【００１４】
第６の発明に係る室内機は、第５の発明に係る室内機において、前記複数の板状リブは、冷房運転時の前記水平羽根の可動域の最も背面側の位置より前面側に配置されていることを特徴とする。
【００１５】
この室内機では、水平羽根に結露が生じるのを抑制できる。
【００１６】
第７の発明に係る室内機は、第６の発明に係る室内機において、前記複数の板状リブは、前記壁に据え付けられた状態において冷房運転時の前記水平羽根の可動域より上方に配置されていることを特徴とする。
【００１７】
この室内機では、複数の板状リブによって、水平羽根の上面に沿って流れる空気流の向きを変更できる。
【００１８】
第８の発明に係る室内機は、第１〜７のいずれの発明に係る室内機において、前記複数の板状リブの少なくとも１つは、他のリブと異なる形状に形成されていることを特徴とする。
【００１９】
この室内機では、複数の板状リブの代わりに、複数の板状リブの離間方向に延在した直方体状の部材を設ける場合に比べて、製造が容易である。
【発明の効果】
【００２０】
以上の説明に述べたように、本発明によれば、以下の効果が得られる。
【００２１】
第１〜第３の発明では、吹出流路の内周面に板状リブが配置されているため、吹出流路内の板状リブの下流側の位置から室内に吹き出される空気流は、板状リブを設けない場合に比べて低減する。そのため、冷房運転時に、この空気流による室内空気の巻き込みが抑制され、その結果、室内機の前面の吹出口(吹出流路の下流端)の周辺部のうち、板状リブに近い位置において、結露が生じるのを抑制することができる。
また、室内機の前面のうち、吹出口の横で、且つ、板状リブに近い位置において、結露が発生するのを抑制することができる。
また、複数の板状リブを空気流の吹出方向に沿って配置することにより、板状リブを１つだけ配置した場合に比べて、ファンから送られる空気流の流れの抵抗となる部分の吹出方向長さを長くすることが可能となり、それにより、室内空気の巻き込みが抑制されるため、結露をより確実に抑制することができる。
また、複数の板状リブの形状や離間距離などを変更するだけで、室内に吹き出される空気流の向きを調整することができるため、空気流の向きの調整を容易に行うことができる。
なお、本発明において「空気流の方向を変更可能な面」とは、ファンの軸方向に垂直な面以外の面のこととする。
【００２２】
【００２３】
第４の発明では、複数の板状リブを平行に配置しない場合に比べて、複数の板状リブを製造しやすい。
【００２４】
第５の発明では、複数の板状リブが、水平羽根の邪魔にならないようにできる。
【００２５】
第６の発明では、水平羽根に結露が生じるのを抑制できる。
【００２６】
第７の発明では、複数の板状リブによって、水平羽根の上面に沿って流れる空気流の向きを変更できる。
【００２７】
第８の発明では、複数の板状リブの代わりに、複数の板状リブの離間方向に延在した直方体状の部材を設ける場合に比べて、製造が容易である。
【図面の簡単な説明】
【００２８】
【図１】本発明の実施形態に係る室内機の斜視図である。
【図２】図１の室内機の部分拡大図である。
【図３】図１の室内機の正面図である。
【図４】図３のＡ−Ａ線断面図である。
【図５】図４の部分拡大図であって、水平羽根の全可動域を示す図である。
【図６】図４の部分拡大図であって、冷房運転時の水平羽根の可動域を示す図である。
【図７】図６のＢ−Ｂ線断面図であって、冷房運転時の空気の流れを示す図である。
【図８】本発明の他の実施形態の板状リブを示す図である。
【図９】本発明の他の実施形態の板状リブを示す図である。
【図１０】本発明の他の実施形態の板状リブを示す図である。
【図１１】本発明の他の実施形態の板状リブを示す図である。
【図１２】従来の室内機の冷房運転時の吹出流路内を示す図である。
【発明を実施するための形態】
【００２９】
以下、本発明の実施の形態について説明する。
図１に示すように、本実施形態の室内機１は、全体として一方向に細長い形状を有しており、その長手方向が水平となるように室内の壁面に据え付けられるものである。なお、以下の説明において、室内機１が取り付けられる壁から突出する方向を「前方」と称し、その反対の方向を「後方」と称する。また、図１に示す左右方向を単に「左右方向」と称する。
【００３０】
室内機１は、図示しない室外機と共に空気調和機を構成しており、室内の冷暖房を行う。図１〜図４に示すように、室内機１は、ケーシング２と、熱交換器（図示省略）と、ファン３（図４参照）と、２枚の水平羽根４、５（図１、２、４参照）と、２つの板状リブ６、７（図２参照）とを備えている。なお、図２は、水平羽根４、５の一部を破線で表示しており、図３は、水平羽根４、５を省略して表示している。
【００３１】
図４に示すように、ケーシング２は、略直方体の箱状を構成する背面部２１および前面部２２と、吹出流路２３とを有している。背面部２１は、平板状であって、壁に取り付けられる。
【００３２】
図４に示すように、前面部２２の上部には、吸込口２２ａが形成されている。図３に示すように、吸込口２２ａは、室内機１の長手方向に長い複数のスリット状の開口である。図４に示すように、前面部２２の下部には、吹出口２２ｂが形成されている。図３に示すように、吹出口２２ｂは、室内機１の長手方向に長い矩形状の開口である。図３に示すように、吹出口２２ｂの右側には表示パネル２２ｃが設けられており、吹出口２２ｂは、室内機１において中心より左寄りの位置に形成されている。
【００３３】
図４に示すように、ケーシング２の内部には、熱交換器（図示省略）とファン３が収容されている。ファン３は、室内機１の長手方向に沿って延在しており、ファン３の上前方の空気を吸い込んで、下後方に吹き出すように構成されている。熱交換器は、ファン３の上方と前方を取り囲むように配置されている。
【００３４】
吹出流路２３は、ファン３によって発生した空気流を吹出口２２ｂに導いて、吹出口２２ｂから吹き出させるために設けられている。図４に示すように、吹出流路２３の内周面は、天井面２４と、底面２５と、右側面２６と、左側面２７（図３参照）とによって構成されている。
【００３５】
図４〜図６に示すように、２枚の水平羽根４、５は、吹出流路２３の下流端（即ち、吹出口２２ｂ）の内側に配置されている。水平羽根４、５は、吹出口２２ｂから吹き出される空気流の上下方向の風向きを変更すると共に、吹出口２２ｂの開閉を行うために設けられている。水平羽根４、５は、それぞれ、室内機１の長手方向に長い矩形状の板部材である。水平羽根４は、吹出口２２ｂ内の前側部分に配置され、水平羽根５は、吹出口２２ｂ内の後側部分に配置されている。水平羽根４の長手方向に直交する方向の長さは、水平羽根５の長手方向に直交する方向の長さよりも長い。
【００３６】
水平羽根４の長手方向の両端部には、支持部４０が設けられており、この支持部４０は、吹出流路２３の両側面２６、２７に設けられた揺動軸４１に取り付けられている。同様に、水平羽根５の長手方向の両端部には、支持部５０が設けられており、この支持部５０は、吹出流路２３の両側面２６、２７に設けられた揺動軸５１に取り付けられている。これにより、水平羽根４、５は、それぞれ、揺動軸４１、５１を中心として揺動可能となっている。図５中の円弧状の破線は、水平羽根４、５の全可動域における水平羽根４、５の端部の位置を示している。また、図６中の円弧状の破線は、冷房運転時の水平羽根４、５の可動域における水平羽根４、５の端部の位置を示している。
【００３７】
図２および図４〜図６に示すように、２つの板状リブ（第１板状リブ６と第２板状リブ７）は、吹出流路２３の右端に配置されている。詳細には、２つの板状リブ６、７は、吹出流路２３の天井面２４と右側面２６との角部分に、前後に離れて配置されている。第２板状リブ７は、第１板状リブ６の前方（ファン３と反対側）に配置されている。２つの板状リブ６、７は、吹出流路２３を構成する部品と一体的に成型されており、板状リブ６、７の上端と左端は、天井面２４と右側面２６に連結されている。
【００３８】
図４および図７に示すように、２つの板状リブ６、７は、矩形状の平板部材であって、互いに平行に配置されている。なお、図７では、水平羽根４、５を省略して表示している。２つの板状リブ６、７の前後の面は、天井面２４と右側面２６に直交している。したがって、ファン３から送られた空気流は、第１板状リブ６の後面６ａに衝突してその向きが変更される。２つの板状リブ６、７の水平方向幅は同じである。また、第１板状リブ６の天井面２４に直交する方向の長さは、第２板状リブ７よりも長い。
【００３９】
また、図５に示すように、板状リブ６、７は、水平羽根４の邪魔にならないように、水平羽根４の全可動域の外側に配置されている。
また、図６に示すように、板状リブ６、７は、冷房運転時の水平羽根４の可動域の後端の位置（図６のラインＬ１）よりも前方に配置されている。より詳細には、板状リブ６、７は、冷房運転時の水平羽根４の可動域の上方に配置されている。また、第１板状リブ６は、天井面２４に直交する方向から視て、水平羽根４の揺動軸４１の後方に配置され、第２板状リブ７は、天井面２４に直交する方向から視て、水平羽根４の揺動軸４１よりも前方に配置されている。
【００４０】
次に、室内機１の動作について説明する。
ファン３を駆動することにより、吸込口２２ａから空気が吸い込まれる。この吸い込まれた空気は、熱交換器（図示省略）を通過して熱交換された後、ファン３を通過し、その後、吹出流路２３と水平羽根４、５に沿って流れて、吹出口２２ｂから吹き出される。
【００４１】
本実施形態の室内機１では、吹出流路２３の天井面２４と右側面２６との角部に２つの板状リブ６、７が配置されている。そのため、図７に示すように、冷房運転時、吹出口２２ｂ内の板状リブ６、７の下流側の位置から室内に吹き出される冷風が少なくなり、冷風Ａ１の吹出位置が、板状リブを設けない場合（図１２参照）に比べて左側にずれる。そのため、室内空気の巻き込みが生じる位置が左側にずれる。つまり、板状リブ６、７の下流側の位置で、室内空気の巻き込み（図７中の矢印Ｂ１参照）が生じるものの、前面部２２における吹出口２２ｂの右側の部分２２ｄ（図２および図７参照。詳細には、表示パネル２２ｃの左上部分）の付近では、室内空気の巻き込みが生じにくくなる。その結果、前面部２２の部分２２ｄにおいて、結露が生じるのを抑制することができる。
【００４２】
また、本実施形態の室内機１では、２つの板状リブ６、７を空気流の吹出方向に沿って配置しているため、第１板状リブ６のみ（または第２板状リブ７のみ）を配置した場合に比べて、ファンから送られる冷風の抵抗となる部分の吹出方向長さが長くなる。これにより、ファン３から送られた冷風が、吹出口２２ｂの右端に届きにくくなり、前面部２２の部分２２ｄの付近での室内空気の巻き込みが抑制される。そのため、結露をより確実に抑制することができる。
【００４３】
また、２つの板状リブ６、７の形状や離間距離などを変更するだけで、吹出口２２ｂから吹き出される空気流の向きを調整することができる。第１板状リブ６および第２板状リブ７は、互いに独立した別部材であって、且つ、平板状という簡易な形状であり、形状や離間距離などを容易に変更できるため、空気流の向きの調整を容易に行うことができる。
【００４４】
また、２つの板状リブ６、７の代わりに、第１板状リブ６の後面６ａから第２板状リブ７の前面までの長さを有する直方体状の部材を配置した場合であっても結露を抑制することが可能であるが、このような直方体状の部材では、天井面２４に直交する方向の長さ（または水平方向幅）を前面と後面で異ならせる場合、製造に手間を要する。一方、本実施形態では、板状リブ６、７の天井面２４に直交する方向の長さ（または水平方向幅）が異なる場合であっても、板状リブ６、７を容易に製造できる。
【００４５】
また、本実施形態の室内機１では、２つの板状リブ６、７が平行に配置されているため、平行でない場合に比べて、板状リブ６、７を製造しやすい。
【００４６】
また、板状リブ６、７が、冷房運転時の水平羽根４の上流側の位置に配置されていると、水平羽根４に結露が生じる場合があるが、本実施形態では、板状リブ６、７は、冷房運転時の水平羽根４の可動域の後端の位置（図６のラインＬ１）より前方に配置されているため、水平羽根４に結露が生じるのを抑制できる。
【００４７】
なお、本実施形態の室内機１は、吹出口２２ｂが室内機１の左寄りに形成されているため、前面部２２の吹出口２２ｂの左側部分よりも右側部分において結露が発生しやすい。そのため、本実施形態では、２つの板状リブ６、７を吹出流路２３の右端にしか設けていないが、左端にも設けてもよい。
【００４８】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。なお、後述する変更形態は、適宜組み合わせて実施することも可能である。
【００４９】
上記実施形態では、板状リブ６、７は、吹出流路２３を構成する部品に一体成型によって形成されているが、天井面２４または右側面２６に接着剤等で貼り付けられていてもよい。
【００５０】
板状リブ６、７の形状は、矩形状に限定されるものではない。
【００５１】
上記実施形態では、板状リブ６、７は厚みが一定であるが、厚みが変化していてもよい。つまり、前方の面と後方の面が平行でなくてもよい。
【００５２】
上記実施形態では、２つの板状リブ６、７の水平方向幅は同じであるが、異なっていてもよい。この場合、第１板状リブ６の水平方向幅は、第２板状リブ７より長くても短くてもよい。
【００５３】
上記実施形態では、第１板状リブ６の天井面２４に直交する方向の長さは、第２板状リブ７よりも長くなっているが、第２板状リブ７より短くてもよい。
【００５４】
上記実施形態では、板状リブ６、７は、水平方向（右側面２６に直交する方向）に延在しているが、この構成に限定されない。板状リブ６、７は、前後方向に延在するものでなければ、必ずしも水平方向に延在していなくてもよい。言い換えると、板状リブ６、７は、室内機１の長手方向（ファン３の軸方向）に直交する面以外の面（空気流の方向を変更可能な面）を有するものであればよい。例えば図８に示す板状リブ１０６、１０７のように、水平方向に対して傾斜する方向に延在していてもよい。なお、図８の板状リブ１０６、１０７は、左端が右端よりも後方に位置するように傾斜しているが、左端が右端よりも前方に位置するように傾斜していてもよい。
【００５５】
上記実施形態では、板状リブ６、７は、天井面２４に対して直交する方向に延在しているが、この構成に限定されない。例えば図９に示す板状リブ２０６、２０７のように、天井面２４に対して、直交方向以外の方向に延在していてもよい。なお、図９の板状リブ２０６、２０７は、下端が上端よりも後方に位置するように傾斜しているが、下端が上端よりも前方に位置するように傾斜していてもよい。
【００５６】
上記実施形態では、２つの板状リブ６、７は、互いに平行であるが、必ずしも平行でなくてもよい。例えば、第１板状リブ６が、上述した板状リブ１０６（図８参照）または板状リブ２０６（図９参照）と同様の向きに形成されており、第２板状リブ７が上記実施形態のままであってもよい。但し、板状リブ６、７は、吹出流路２３を構成する部品に一体成型により形成されているため、平行に配置する方が製造しやすい。また、上述した変更形態のように、板状リブ６、７を、天井面２４または右側面２６に接着剤等で貼り付ける場合であっても、平行に配置する方が製造しやすい。
【００５７】
上記実施形態では、板状リブ６、７は、右側面２６と天井面２４の両方に連結されているが、右側面２６と天井面２４のいずれか一方にのみ連結されて形成されていてもよい。板状リブ６、７を右側面２６に形成する場合、右側面２６の上端に形成してもよく、図１０に示す板状リブ３０７ように、右側面２６の上端よりも下方の位置に形成してもよい。天井面２４に形成する場合も同様である。
【００５８】
上記実施形態では、２つの板状リブ６、７は、冷房運転時の水平羽根４の可動域の後端の位置（図６のラインＬ１）よりも前方に配置されているが、２つの板状リブの設置位置はこれに限定されない。第１板状リブ６だけがラインＬ１より後方に配置されていてもよく、第１板状リブ６と第２板状リブ７の両方が、ラインＬ１より後方に配置されていてもよい。
【００５９】
上記実施形態では、第１板状リブ６の前方に、１つの第２板状リブ７が配置されているが、例えば図１１に示すように、第１板状リブ４０６の前方に、２つ以上（図１１では２つ）の第２板状リブ４０７、４０８を配置してもよい。この場合、３つ以上の板状リブの離間距離は、全て同じでも異なっていてもよい。また、３つ以上の板状リブの形状は、全て同じでも異なっていてもよい。
【００６０】
上記実施形態では、板状リブ６、７を吹出流路２３の右端にのみ設けているが、上記実施形態で述べたように、吹出流路２３の左端にも設けてもよい。また、室内機の構成によっては、吹出流路２３の左端にのみ設けてもよい。
【００６１】
上記実施形態では、板状リブ６、７を吹出流路２３の右上端に設けているが、吹出流路２３の右下端に板状リブ６、７を設けてもよい。
【００６２】
上記実施形態では、板状リブ６、７を吹出流路２３の水平方向端部にのみ設けているが、室内機の構成によっては、吹出流路２３の内周面の水平方向端部以外の位置（例えば、天井面２４の長手方向略中央）にも板状リブ６、７を設けてもよい。
【産業上の利用可能性】
【００６３】
本発明を利用すれば、室内機前面において結露が発生するのを抑制できる。
【符号の説明】
【００６４】
１  室内機
２  ケーシング
３  ファン
４、５  水平羽根
６  第１板状リブ
６ａ  後面
７  第２板状リブ
２２ｂ  吹出口
２３  吹出流路
【図１】
0005471954.tif 000002
【図２】
0005471954.tif 000003
【図３】
0005471954.tif 000004
【図４】
0005471954.tif 000005
【図５】
0005471954.tif 000006
【図６】
0005471954.tif 000007
【図７】
0005471954.tif 000008
【図８】
0005471954.tif 000009
【図９】
0005471954.tif 000010
【図１０】
0005471954.tif 000011
【図１１】
0005471954.tif 000012
【図１２】
0005471954.tif 000013